(57)【要約】【課題】携帯電子機器のセット時に接続端子の出没孔と携帯電子機器の隙間を目隠しするようにした接続端子台の目隠し装置を提供すること。【解決手段】携帯電子機器をセットするハウジングのセット凹部に、この携帯電子機器の電極と接離する接続端子を具備した接続端子台において、前記接続端子における端子接触部の突出する隙間に臨ませて出没自在に目隠し突条を設ける。目隠し突条は、接続端子における端子接触部に接触して突出するように構成することもでき、また、シャッター枠の目隠し突条は、押圧釦に設けた突部に接触して突出するように構成することもできる。【選択図】図１
2010178410.tif 000002
【特許請求の範囲】
【請求項１】
携帯電子機器をセットするハウジングのセット凹部に、この携帯電子機器の電極と接離する接続端子を具備した接続端子台において、前記接続端子における端子接触部の突出する隙間に臨ませて出没自在に目隠し突条を設けたことを特徴とする接続端子台の目隠し装置。
【請求項２】
ハウジングの上面に、携帯電子機器のセット凹部を設け、前記携帯電子機器の電極に接離する接続端子を、携帯電子機器の着脱に応じてハウジングから出没するように構成した接続端子台において、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、回転軸を支点とする押圧釦を前記携帯電子機器の着脱に応じて揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から横向きに前記接続端子を突出せしめる端子出没溝とを形成し、前記押圧釦出没窓と押圧釦の間にシャッター枠を揺動自在に設け、このシャッター枠に、前記接続端子における端子接触部の突出する隙間に臨ませて携帯電子機器の着脱に応じて出没する目隠し突条を設けたことを特徴とする接続端子台の目隠し装置。
【請求項３】
シャッター枠の目隠し突条は、接続端子における端子接触部に接触して突出するようにしたことを特徴とする請求項２記載の接続端子台の目隠し装置。
【請求項４】
シャッター枠の目隠し突条は、押圧釦に設けた突部に接触して突出するようにしたことを特徴とする請求項２記載の接続端子台の目隠し装置。
【請求項５】
シャッター枠は、セット凹部の載置板部の下面に揺動自在に設けた水平枠部と、この水平枠部の端部から立ち上がり押圧釦と押圧釦出没窓の間に設けた垂直枠とからなり、この垂直枠に目隠し突条と押圧釦の上半部を遮蔽するシャッター片を設けたことを特徴とする請求項２、３または４記載の接続端子台の目隠し装置。
【発明の詳細な説明】
【技術分野】
【０００１】
本発明は、携帯電話機、ディジタルカメラなどの携帯電子機器を接続端子台にセットして充電や通信信号の授受を行う場合に、携帯電子機器と接続端子台の隙間から露出している接続端子を目隠しして短絡等の事故を防ぐようにした接続端子台の目隠し装置に関するものである。
【背景技術】
【０００２】
携帯電話機などの携帯電子機器を充電装置にセットする場合、縦置き方式（長手方向が略垂直になるようにセットする方式）、横置き方式（長手方向が略水平になるようにセットする方式）、寝かせ置き方式（背面が略水平面に寝かせてセットする方式）などがある。これらのうち寝かせ置き方式の例が図８に示される（特許文献１）。
この図８に示す寝かせ置き方式の充電装置は、ハウジング１０のセット凹部１１に携帯電子機器１２の背面を向けて寝かせて、携帯電子機器１２を一端部の係止爪２４に係止しつつセットすると、両側のフック１７に携帯電子機器１２が係止し、かつ、携帯電子機器１２の他端部の電極５２が出没孔１６から隙間５１へ突出した接続端子２８の端子接触部４０に接続して充電を行うものである。
【先行技術文献】
【特許文献】
【０００３】
【特許文献１】特開２００３−５１８７５号公報。
【発明の概要】
【発明が解決しようとする課題】
【０００４】
前記特許文献１記載の充電装置は、端子出没孔１６と携帯電子機器１２の間に生じる隙間５１が少なすぎると、携帯電子機器１２の充電装置への着脱時に互いに干渉してハウジング１０の内壁部分に擦れて傷がついたり、接続端子２８の端子接触部４０に無理がかかり、破損したり、変形したりする恐れがある。そのため、ある程度の幅の隙間５１をもって形成することが望ましい。ところが、隙間５１が大きすぎると、この隙間５１に書類の綴じ針などが落ち込み短絡事故の原因になる。
また、接続端子２８の端子接触部４０が端子出没孔１６から常時突出しているものでは、手に触れると低温やけどの恐れや短絡事故の恐れがあるなどの問題点を有していた。
【０００５】
本発明は、携帯電子機器のセット時に接続端子の出没孔と携帯電子機器の隙間を目隠しするようにした接続端子台の目隠し装置を提供することを目的とするものである。
【課題を解決するための手段】
【０００６】
本発明による接続端子台の目隠し装置は、携帯電子機器をセットするハウジングのセット凹部に、この携帯電子機器の電極と接離する接続端子を具備した接続端子台において、前記接続端子における端子接触部の突出する隙間に臨ませて出没自在に目隠し突条を設けたことを特徴とする。
【０００７】
より具体的には、ハウジングの上面に、携帯電子機器を寝かせてセットするセット凹部を設け、前記携帯電子機器の電極に接離する接続端子を、携帯電子機器の着脱に応じてハウジングから出没するように構成した接続端子台において、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、回転軸を支点とする押圧釦を前記携帯電子機器の着脱に応じて揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から前記接続端子を突出せしめる端子出没溝とを形成し、前記押圧釦出没窓と押圧釦の間にシャッター枠を揺動自在に設け、このシャッター枠に、前記接続端子における端子接触部の突出する隙間に臨ませて携帯電子機器の着脱に応じて出没する目隠し突条を設けたことを特徴とする。
【０００８】
シャッター枠の目隠し突条は、接続端子における端子接触部に接触して突出するように構成する。
また、シャッター枠の目隠し突条は、押圧釦に設けた突部に接触して突出するように構成する。
【発明の効果】
【０００９】
請求項１記載の発明によれば、携帯電子機器をセットするハウジングのセット凹部に、この携帯電子機器の電極と接離する接続端子を具備した接続端子台において、前記接続端子における端子接触部の突出する隙間に臨ませて出没自在に目隠し突条を設けたので、隙間をある程度大きく取ることができ、携帯電子機器の充電装置への着脱時に互いに干渉することを防止でき、また、隙間に書類の綴じ針などの落ち込みを防止し、短絡事故をなくすことができる。
【００１０】
請求項２記載の発明によれば、ハウジングの上面に、携帯電子機器のセット凹部を設け、前記携帯電子機器の電極に接離する接続端子を、携帯電子機器の着脱に応じてハウジングから出没するように構成した接続端子台において、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、一体の回転軸を支点とする押圧釦を前記携帯電子機器の着脱により揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から前記接続端子を突出せしめる端子出没溝とを形成し、前記押圧釦出没窓と押圧釦の間にシャッター枠を揺動自在に設け、このシャッター枠に、前記接続端子における端子接触部の突出する隙間に臨ませて携帯電子機器の着脱に応じて出没する目隠し突条を設けたので、接続端子の端子接触部が端子出没孔から常時引き込まれて、手に触れたり、短絡事故が起きたりすることがない。
【００１１】
請求項３記載の発明によれば、シャッター枠の目隠し突条は、接続端子における端子接触部に接触して突出するようにしたので、端子接触部の突出のタイミングと完全に一致して確実に隙間を遮断することができる。
【００１２】
請求項４記載の発明によれば、シャッター枠の目隠し突条は、押圧釦に設けた突部に接触して突出するようにしたので、押圧釦の回動に完全に一致して確実に隙間を遮断することができる。
【００１３】
請求項５記載の発明によれば、シャッター枠は、セット凹部の載置板部の下面に揺動自在に設けた水平枠部と、この水平枠部の端部から立ち上がり押圧釦と押圧釦出没窓の間に設けた垂直枠とからなり、この垂直枠に目隠し突条と押圧釦の上半部を遮蔽するシャッター片を設けたので、携帯電子機器をセット凹部にセットしたときは目隠し突条で遮蔽するのみならず、携帯電子機器をセットしていないときには、シャッター片で押圧釦の上半部を遮蔽することができる。
【図面の簡単な説明】
【００１４】
【図１】本発明による接続端子台の目隠し装置の実施例１を示す斜視図である。
【図２】本発明による接続端子台の目隠し装置のセット凹部１１への携帯電子機器１２の装着後を示す一部切り欠いた側面図である。
【図３】本発明による接続端子台の目隠し装置のセット凹部１１への携帯電子機器１２の装着前を示す一部切り欠いた側面図である。
【図４】本発明の接続端子台の目隠し装置に組み込まれる各部品を示すもので、（ａ）は、シャッター枠２６の斜視図、（ｂ）は、押圧釦２９を前面からみた斜視図、（ｃ）は、押圧釦２９を後面からみた斜視図、（ｄ）は、接続端子２８の斜視図である。
【図５】本発明の接続端子台の目隠し装置における端子カバー部２３の一部を切欠いた正面図である。
【図６】（ａ）は、図５におけるＡ−Ａ線断面図、（ｂ）は、図５におけるＢ−Ｂ線断面図である。
【図７】本発明の実施例２を示す要部の側断面図である。
【図８】従来の接続端子台の斜視図である。
【発明を実施するための形態】
【００１５】
本発明による接続端子台の目隠し装置は、隙間をある程度大きく取り、携帯電子機器の充電装置への着脱時に互いに干渉することを防止し、また、隙間に書類の綴じ針などの落ち込みを防止し、短絡事故をなくすために、携帯電子機器をセットするハウジングのセット凹部に、この携帯電子機器の電極と接離する接続端子を具備した接続端子台において、前記接続端子における端子接触部の突出する隙間に臨ませて出没自在に目隠し突条を設ける。
【００１６】
本発明による接続端子台の目隠し装置は、ハウジングの上面に、携帯電子機器のセット凹部を設け、前記携帯電子機器の電極に接離する接続端子を、携帯電子機器の着脱に応じてハウジングから出没するように構成した接続端子台に採用すると、接続端子の端子接触部が端子出没孔から常時引き込まれて、手に触れたり、短絡事故が起きたりすることがないので特に効果的である。そのために、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、回転軸を支点とする押圧釦を前記携帯電子機器の着脱に応じて揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から前記接続端子を突出せしめる端子出没溝とを形成し、前記押圧釦出没窓と押圧釦の間にシャッター枠を揺動自在に設け、このシャッター枠に、前記接続端子における端子接触部の突出する隙間に臨ませて携帯電子機器の着脱に応じて出没する目隠し突条を設ける。
【００１７】
端子接触部の突出のタイミングと完全に一致して確実に隙間を遮断するためには、シャッター枠の目隠し突条は、接続端子における端子接触部に接触して突出するように構成する。
また、押圧釦の回動に完全に一致して確実に隙間を遮断するためには、シャッター枠の目隠し突条は、押圧釦に設けた突部に接触して突出するように構成する。
【００１８】
携帯電子機器をセット凹部にセットしたときは目隠し突条で遮蔽するのみならず、携帯電子機器をセットしていないときには、シャッター片で押圧釦の上半部を遮蔽するためには、シャッター枠は、セット凹部の載置板部の下面に揺動自在に設けた水平枠部と、この水平枠部の端部から立ち上がり押圧釦と押圧釦出没窓の間に設けた垂直枠とからなり、この垂直枠に目隠し突条と押圧釦の上半部を遮蔽するシャッター片を設ける。
【実施例】
【００１９】
以下、本発明の実施例１を図面に基づき説明する。
図１ないし図７において、ハウジング１０のセット凹部１１における載置板部３０は、好ましくは、携帯電子機器１２を横向きで、かつ、寝かせてセットするように構成されている。この載置板部３０は、例えば、１０度の角度をもって奥行きが高くなるように傾斜して構成されている。この載置板部３０の外周には、セットする携帯電子機器１２の厚さと略等しい高さで前壁部１９、側壁部２０が設けられている。このうち前壁部１９は、中央部分が携帯電子機器１２の着脱のために指を入れる前面切欠き２１が形成され、また、この両側の前壁部１９には、携帯電子機器１２のセット時の係止爪２４が設けられている。前記両側の側壁部２０の内側には、携帯電子機器１２のセット時のガイドのための突条１５と、携帯電子機器１２を係止するフック１７が進退自在に設けられている。前記載置板部３０には、携帯電子機器１２をセットしたときに載置板部３０との間にわずかな隙間を作るための突条１５と、携帯電子機器１２のセット時に押圧されて電源を投入する電源釦２５が設けられている。
【００２０】
前記載置板部３０の後部側には、略３分の１が端子カバー部２３で、残りが携帯電子機器１２を着脱するための指掛け部２２となっている。この指掛け部２２は、載置板部３０がやや傾斜しているのに対して略水平であり、セットした携帯電子機器１２を外すときに前記前面切欠き２１と指掛け部２２に指をかけて後部を持ち上げて外す。
前記端子カバー部２３は、その正面部５５から載置板部３０の一部に連続するようにして押圧釦出没窓３１が切欠かれている。この押圧釦出没窓３１は、正面部５５側が載置板部３０側よりやや幅広に形成され、この幅広部分に後述するシャッター枠２６の垂直枠部４４が臨ませられる。この押圧釦出没窓３１に臨ませた端子カバー部２３の内部に押圧釦２９、シャッター枠２６及び接続端子２８が設けられている。
【００２１】
前記押圧釦２９は、前記押圧釦出没窓３１から突出する押圧突部３２と、正面部５５の後方に位置する垂直片部３３とを有し、載置板部３０に軸支された回転軸３５により揺動自在に取り付けられている。この押圧釦２９の垂直片部３３から押圧突部３２にかけて両側に端子出没溝３４が形成され、この端子出没溝３４は、図６（ｂ）、図４（ｂ）（ｃ）に示すように、後面まで連通開口している。前記両側の回転軸３５には、端子付勢ばね３６が巻きつけられ、この端子付勢ばね３６の先端の連結端部５６が載置板部３０の下面のばね係止部５３に係止し、他端部が押圧釦２９の両側上端のばね係止部３７に係止し、押圧釦２９を図３に示すように右回りに付勢して通常は、押圧突部３２が押圧釦出没窓３１における載置板部３０と端子カバー部２３の正面部５５との角部から突出している。
【００２２】
前記押圧釦２９の端子出没溝３４には、背面から接続端子２８が挿入されている。この押圧釦２９は、中間部分が図４（ｄ）に示すように、プリント基板２７に取り付けられた端子保持部４２の軸５８に複数回巻きつけられ、先端がプリント基板２７の配線に接続され、上端部の端子接触部４０が端子出没溝３４から外方に突出し、この端子接触部４０の先端の係止端部４１が前記垂直片部３３の背面の端子係止部３８に係止している。そして接続端子２８は、自身のばね力で端子接触部４０が左回りに付勢されているが、この接続端子２８のばね力よりも端子付勢ばね３６のばね力を十分大きく設定することにより、押圧釦２９は、通常は、図３のように右回りに付勢されるので、端子接触部４０が正面部５５の押圧釦出没窓３１よりも内側に引き込まれている。また、前記垂直片部３３の背面には、端子係止部３８に連続した上部に傾斜した端子滑り部３９が形成されている。そして、図３において、接続端子２８の巻きつけられた軸５８が押圧釦２９の回転軸３５と係止端部４１を結ぶ線よりも左側にあるように形成して、押圧釦２９が所定角度だけ図中左回転すると、係止端部４１が端子係止部３８から端子滑り部３９へ移動して端子接触部４０が急速に端子出没溝３４から外方に突出するようになっている。
【００２３】
前記シャッター枠２６は、水平枠部４３と垂直枠部４４を一体に有し、水平枠部４３の側面には、揺動軸４８が載置板部３０の下面の軸受部５７に揺動自在に軸支され、水平枠部４３の上面の左右の突起部４９と突起部５０が載置板部３０の下面とわずかな隙間をもって形成されている。前記垂直枠部４４は、図５に示すように、前記押圧釦出没窓３１の内側で、押圧釦２９の両側に位置して配置され、上端部側方に目隠し突条４５が形成されるとともに、下向きにシャッター片４６が設けられ、このシャッター片４６の両側に前記端子出没溝３４に連通する端子出没溝４７が形成されている。このシャッター枠２６の垂直枠部４４は、通常、揺動軸４８を支点として突起部４９が載置板部３０の下面に接するまで下降し、この結果、目隠し突条４５は、端子カバー部２３の正面部５５と略面位置が一致した状態となる。
【００２４】
次に、携帯電子機器１２の着脱動作を説明する。
ハウジング１０のセット凹部１１に携帯電子機器１２を装着していない状態では、押圧釦２９、接続端子２８は、図３のように端子付勢ばね３６に付勢されて押圧釦出没窓３１の内側に位置している。このとき、シャッター枠２６は、垂直枠部４４側が自重により図３の右回りに回動し、突起部４９が載置板部３０の下面に接しているので、図６に示すように、目隠し突条４５は正面部５５から突出せず、また、シャッター片４６で正面部５５の内側が遮蔽されている。
【００２５】
この状態で、図３の鎖線で示すように、携帯電子機器１２を横向きにして手前側を前壁部１９の係止爪２４に係合しつつ後方の下側の角部を押圧釦２９の押圧突部３２に寝かせて載せる。この状態で、携帯電子機器１２の後方を上から押しこむ。
【００２６】
押圧釦２９の押圧突部３２が携帯電子機器１２の後方の下側の角部で押し込まれると、図２に示すように、携帯電子機器１２の下面で電源釦２５を押し込み、電源スイッチ（図示せず）がオンし、押圧釦２９が端子付勢ばね３６に抗して図中左回りに回動する。押圧釦２９が左回りに回動すると、接続端子２８は、自身が左回りに付勢されているので、押圧釦２９の回動に追随し、かつ、係止端部４１が端子係止部３８に係止したまま左回りに回動する。すると、端子接触部４０がシャッター枠２６の端子出没溝４７を経て正面部５５から突出する。ここで、端子接触部４０は、係止端部４１が端子係止部３８に係止しているときには、押圧釦２９の回動と同じ速度で突出するが、接続端子２８の軸５８が押圧釦２９の回転軸３５と係止端部４１を結ぶ線よりも図中左側にあるので、携帯電子機器１２の底面が載置板部３０に達する直前に係止端部４１が端子係止部３８から端子滑り部３９へ移動して端子接触部４０が急速に端子出没溝３４から外方に突出し、携帯電子機器１２の側面の電極５２に圧接する。
【００２７】
同時に、端子接触部４０の突出時に目隠し突条４５の下面に端子接触部４０の上部が接触して目隠し突条４５を押し出す。そのため、正面部５５と携帯電子機器１２とに生じた隙間５１は目隠し突条４５で瞬時に目隠しされる。一般に、正面部５５と携帯電子機器１２の間に生じる隙間５１は、少なすぎると、携帯電子機器１２の着脱時に互いに干渉して押圧釦２９や接続端子２８の稼働部分に無理がかかり、破損したり、変形したりする恐れがあるので、ある程度の隙間５１をもって形成される。ところが、隙間５１が大きすぎると、この隙間５１に書類の綴じ針などが落ち込み短絡事故の原因になる。
しかし、本発明では、端子接触部４０の突出と同時に目隠し突条４５で目隠しをしてこれらの不都合を解決している。
【００２８】
このような充電をしている状態で、図１に示すように、画面１８を長手方向に起こして最も見やすい角度にしてＴＶ等の映像を楽しむことができる。画面１８を一旦閉じて、短手方向に起こして映像を楽しむこともできる。
【００２９】
セット凹部１１にセットした携帯電子機器１２を取り外すときには、前壁部１９の前面切欠き２１に親指をかけ、携帯電子機器１２の後面の指掛け部２２の位置に他の指をかけて引き起こすと、携帯電子機器１２は、前壁部１９の係止爪２４に係止した位置を支点として持ち上がり、フック１７から外れて簡単に携帯電子機器１２を抜き取ることができる。携帯電子機器１２の抜き取りにより押圧釦２９が端子付勢ばね３６により図中右回りに回動し、接続端子２８の係止端部４１が端子滑り部３９から端子係止部３８へ移動し、端子接触部４０が端子カバー部２３の内側に引き込まれる。同時に、押圧釦２９の押圧突起３２が押圧釦出没窓３１から突出する。また、シャッター枠２６は、垂直部４４側が自重により揺動軸４８を支点として下降し、目隠し突条４５が押圧釦出没窓３１から退出する。
【００３０】
前記実施例では、図２に示すように、端子接触部４０の突出時に目隠し突条４５の下面に端子接触部４０の上部が接触して目隠し突条４５を押し出すようにした。
本発明は、これに限られるものではなく、図７に示すように、押圧釦２９における垂直片部３３の前面に突部５４を一体に設け、押圧釦２９が起き上がった時にこの突部５４でシャッター枠２６の垂直枠部４４の目隠し突条４５を押し出し、正面部５５と携帯電子機器１２とに生じた隙間５１を瞬時に目隠しするようにしてもよい。
【００３１】
前記実施例では、携帯電話機などの携帯電子機器を充電装置にセットする場合の寝かせ置き方式の例を説明した。しかしこれに限られるものではなく、縦置き方式（長手方向が略垂直になるようにセットする方式）、横置き方式（長手方向が略水平になるようにセットする方式）などにおいてもそのまま利用できる。
【００３２】
前記実施例では、接続端子２８は、図３に示すように、自身のばね力で端子接触部４０が左回りに付勢されているが、この接続端子２８のばね力よりも端子付勢ばね３６のばね力を十分大きく設定することにより、押圧釦２９は、通常は、右回りに付勢されるので、端子接触部４０が正面部５５の押圧釦出没窓３１よりも内側に引き込まれている構成とした。
しかし、これに限られるものではなく、接続端子２８が端子付勢ばね３６により付勢されておらず、端子接触部４０が正面部５５の押圧釦出没窓３１から常時突出しているものであっても本発明は利用できる。
【００３３】
前記実施例では、図２に示すように、端子接触部４０の突出時に目隠し突条４５の下面に端子接触部４０の上部が接触して目隠し突条４５を押し出す場合と、図７に示すように、押圧釦２９における垂直片部３３の前面に突部５４でシャッター枠２６の垂直枠部４４の目隠し突条４５を押し出し、正面部５５と携帯電子機器１２とに生じた隙間５１を瞬時に目隠しするように構成した。
しかし、これに限られるものではなく、シャッター枠２６の垂直枠部４４の目隠し突条４５を自重又はばねで常時隙間５１を遮蔽する方向に付勢し、携帯電子機器１２が目隠し突条４５に接しながらセットされる構成とすることもできる。
【符号の説明】
【００３４】
１０…ハウジング、１１…セット凹部、１２…携帯電子機器、１３…押圧子、１４…押圧子出没孔、１５…突条、１６…給電端子出没孔、１７…フック、１８…画面、１９…前壁部、２０…側壁部、２１…前面切欠き、２２…指掛け部、２３…端子カバー部、２４…係止爪、２５…電源釦、２６…シャッター枠、２７…プリント基板、２８…接続端子、２９…押圧釦、３０…載置板部、３１…押圧釦出没窓、３２…押圧突部、３３…垂直片部、３４…端子出没溝、３５…回転軸、３６…端子付勢ばね、３７…ばね係止部、３８…端子係止部、３９…端子滑り部、４０…端子接触部、４１…係止端部、４２…端子保持部、４３…水平枠部、４４…垂直枠部、４５…目隠し突条、４６…シャッター片、４７…端子出没溝、４８…揺動軸、４９…突起部、５０…突起部、５１…隙間、５２…電極、５３…ばね係止部、５４…突部、５５…正面部、５６…連結端部、５７…軸受部、５８…軸。
【図１】
2010178410.tif 000003
【図２】
2010178410.tif 000004
【図３】
2010178410.tif 000005
【図４】
2010178410.tif 000006
【図５】
2010178410.tif 000007
【図６】
2010178410.tif 000008
【図７】
2010178410.tif 000009
【図８】
2010178410.tif 000010
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
ハウジングに携帯電子機器のセット凹部を設け、前記携帯電子機器の電極に接離する接続端子を、携帯電子機器の着脱に応じてハウジングから出没するように構成した接続端子台において、前記セット凹部に押圧釦出没窓を形成し、この押圧釦出没窓に臨ませた前記ハウジング内部に、前記携帯電子機器の着脱に応じて揺動自在の押圧釦を設け、この押圧釦に、端子付勢ばねに付勢されて前記押圧釦出没窓から突出する押圧突部と、この押圧突部を前記携帯電子機器のセット時に押し込んだとき前記接続端子を突出せしめる端子出没溝とを形成し、前記押圧釦出没窓と押圧釦の間にシャッター枠を揺動自在に設け、このシャッター枠に、前記接続端子における端子接触部の突出する隙間に臨ませて携帯電子機器の着脱に応じて出没する目隠し突条を設けたことを特徴とする接続端子台の目隠し装置。
【請求項２】
ハウジングの上面に、携帯電子機器のセット凹部を設け、前記携帯電子機器の電極に接離する接続端子を、携帯電子機器の着脱に応じてハウジングから出没するように構成した接続端子台において、前記セット凹部の載置板部の後部から立ち上がらせて端子カバー部を設け、この端子カバー部の正面部と載置板部の一部に連続する押圧釦出没窓を形成し、この押圧釦出没窓に臨ませて前記端子カバー部の内部に、回転軸を支点とする押圧釦を前記携帯電子機器の着脱に応じて揺動自在に設け、この押圧釦に、端子付勢ばねに付勢されて前記押圧釦出没窓の載置板部側から突出する押圧突部と、この押圧突部を前記携帯電子機器のセット時に押下げたとき前記正面部側から横向きに前記接続端子を突出せしめる端子出没溝とを形成し、前記押圧釦出没窓と押圧釦の間にシャッター枠を揺動自在に設け、このシャッター枠に、前記接続端子における端子接触部の突出する隙間に臨ませて携帯電子機器の着脱に応じて出没する目隠し突条を設けたことを特徴とする接続端子台の目隠し装置。
【請求項３】
シャッター枠の目隠し突条は、接続端子における端子接触部に接触して突出するようにしたことを特徴とする請求項２記載の接続端子台の目隠し装置。
【請求項４】
シャッター枠の目隠し突条は、押圧釦に設けた突部に接触して突出するようにしたことを特徴とする請求項２記載の接続端子台の目隠し装置。
【請求項５】
シャッター枠は、セット凹部の載置板部の下面に揺動自在に設けた水平枠部と、この水平枠部の端部から立ち上がり押圧釦と押圧釦出没窓の間に設けた垂直枠とからなり、この垂直枠に目隠し突条と押圧釦の上半部を遮蔽するシャッター片を設けたことを特徴とする請求項２、３または４記載の接続端子台の目隠し装置。
【手続補正２】
【補正対象書類名】明細書
【補正対象項目名】０００９
【補正方法】変更
【補正の内容】
【０００９】
請求項１記載の発明によれば、ハウジングに携帯電子機器のセット凹部を設け、前記携帯電子機器の電極に接離する接続端子を、携帯電子機器の着脱に応じてハウジングから出没するように構成した接続端子台において、前記セット凹部に押圧釦出没窓を形成し、この押圧釦出没窓に臨ませた前記ハウジング内部に、前記携帯電子機器の着脱に応じて揺動自在の押圧釦を設け、この押圧釦に、端子付勢ばねに付勢されて前記押圧釦出没窓から突出する押圧突部と、この押圧突部を前記携帯電子機器のセット時に押し込んだとき前記接続端子を突出せしめる端子出没溝とを形成し、前記押圧釦出没窓と押圧釦の間にシャッター枠を揺動自在に設け、このシャッター枠に、前記接続端子における端子接触部の突出する隙間に臨ませて携帯電子機器の着脱に応じて出没する目隠し突条を設けたので、隙間をある程度大きく取ることができ、携帯電子機器の充電装置への着脱時に互いに干渉することを防止でき、また、隙間に書類の綴じ針などの落ち込みを防止し、短絡事故をなくすことができる。